(57)【特許請求の範囲】
【請求項１】
光分配網（ＯＤＮ）のリーフにアタッチされた１つ又は複数のリーフノードを相互接続するためのシステムであって、
それぞれ遠隔ノードを含む第１の光分配網及び第２の光分配網であって、中央局及び／又は光回線終端装置からフィーダファイバを介して前記遠隔ノードが受信した信号を、前記光分配網に接続された複数のリーフノードに、分配ファイバを介して分配する、第１の光分配網及び第２の光分配網と、
前記第１の光分配網に接続された第１のリーフノードを、前記第２の光分配網に接続された第２のリーフノードに接続するリンクと、
を備え、
前記第２の光分配網の前記遠隔ノードは、該第２の光分配網の前記中央局及び／又は光回線終端装置から信号を受信するように構成された入力ユニットを備え、
前記遠隔ノードは、前記第２のリーフノードを前記遠隔ノードの前記入力ユニットに接続する追加の信号パスを更に備え、
ここで、前記第２の光分配網のリーフノードに向けられることを意図された信号は、前記中央局及び／又は前記光回線終端装置と前記第２の光分配網の前記遠隔ノードとの間の接続不具合がある場合、前記中央局及び／又は前記光回線終端装置から前記第１の光分配網へ送られ、前記リンクを介して、前記第１の光分配網に接続された前記第１のリーフノードから前記第２の光分配網へ接続された前記第２のリーフノードへ送られ、
前記追加の信号パスにより、前記リンクを介して前記第２のリーフノードが受信した前記信号を、前記第２のリーフノードから前記遠隔ノードの前記入力ユニットに送ることができ、前記第２の光分配網の他のリーフノードに転送することを可能にし、それにより、前記中央局及び／又は光回線終端装置と前記第２の光分配網の前記遠隔ノードとの間の前記フィーダファイバにおける接続不具合を補償することを可能にするものである
システム。
【請求項２】
前記複数のリーフノードは１つ又は複数の基地局を含み、及び／又は、
前記第１のリーフノード及び前記第２のリーフノードは基地局である、請求項１に記載のシステム。
【請求項３】
前記光分配網は固定ネットワークオペレータと移動ネットワークオペレータとの間で共有され、前記固定ネットワークオペレータのクライアントは、別の光分配ツリーの少なくとも１つの他のリーフに接続されることによる保護を受けていない状態でリーフノードとして接続された光ネットワークユニットをクライアントとして備え、
リーフノードとして接続された基地局を含む前記移動ネットワークオペレータの前記クライアントは、前記他の光分配網の少なくとも１つの他のリーフノードに接続されることによって不具合に対し保護される、請求項１又は２に記載のシステム。
【請求項４】
前記システムは、前記第２の光分配網の中央局と前記遠隔ノードとの間の前記接続の不具合の場合、前記第２の光分配網の前記リーフノードに向けられた前記光信号を、前記第１の光分配網を介して前記第１のリーフノードに、該第１のリーフノードから前記リンクを介して前記第２のリーフノードに、そして該第２のリーフノードから前記第２の光分配網の前記遠隔ノードを介して前記第２の光分配網に接続された他の基地局に転送するように構成され、及び／又は、
前記システムは、前記第２の光分配網の前記遠隔ノードと前記第２のリーフノードとの間の前記接続の不具合の場合、前記第２の光分配網の前記第２のリーフノードに向けられた前記光信号を、前記第１の光分配網を介して前記第１のリーフノードに、そして該第１のリーフノードから前記リンクを介して前記第２のリーフノードに転送するように構成される、請求項１〜３のいずれか１項に記載のシステム。
【請求項５】
前記第１のリーフノードと前記第２のリーフノードとの間の前記リンクは無線リンクである、請求項１〜４のいずれか１項に記載のシステム。
【請求項６】
中央局及び／又は光回線終端装置を複数の光ノードに接続する光分配網のための遠隔ノードであって、
前記中央局及び／又は光回線終端装置から１つ又は複数の信号を受信するための、少なくとも１つのフィーダファイバに接続された入力ユニットと、
前記光分配網の分配ファイバのそれぞれに接続される複数の出力ユニットであって、該分配ファイバは前記光分配網内でリーフノードを形成する光ノードのそれぞれに接続される、複数の出力ユニットと、
前記１つ又は複数の信号を前記複数の出力ユニットに分配するためのスプリッティングユニットとを備え、
前記出力ユニットのうちの１つを該遠隔ノードの前記入力ユニットに接続し、前記光分配網に接続された第１のリーフノードから、前記入力ユニット及び前記スプリッティングユニットを通じて、前記光分配網にアタッチされた他のリーフノードに光波長帯を送信することを可能にする追加の信号パスを更に備える遠隔ノード。
【請求項７】
前記追加の信号パスは、前記第１のリーフノードから受信した前記光波長帯を逆多重化するための、前記第１のリーフノードに接続された第１の波長帯デマルチプレクサを備え、及び／又は
前記追加の信号パスは、前記第１のリーフノードから受信した前記光波長帯を逆多重化するための、前記第１のリーフノードに接続された第１の波長帯デマルチプレクサを備え、及び／又は
前記信号パスは、前記入力ユニットに接続された波長帯マルチプレクサを備え、該入力ユニットを通じて、前記分配ツリーは前記光分配ツリーの前記ノードに分配される信号を受信し、前記波長帯マルチプレクサは前記入力ユニットに対する前記光波長帯を多重化するように構成される、請求項６に記載の遠隔ノード。
【請求項８】
前記遠隔ノードは、前記入力ユニットから受信した前記１つ又は複数の信号をスプリットし、該１つ又は複数の信号を前記分配ツリーの前記リーフノードに分配するための、前記入力ユニットに接続されたスプリッティングユニットを備えるか、又は
前記遠隔ノードは、前記入力ユニットから受信した前記１つ又は複数の信号を、前記分配ツリーの前記リーフノードに分配するための波長デマルチプレクサを備える、請求項６又は７に記載の遠隔ノード。
【請求項９】
前記遠隔ノードは、前記光波長帯が前記デマルチプレクサに向けてアップストリームで送信され、該デマルチプレクサにおいて前記光波長帯が残りの信号からスプリットされ、前記マルチプレクサに更に送信され、該マルチプレクサから、前記スプリッタに向けてダウンストリームで供給され、前記分配ツリーの他のノードに分配されるように構成されるか、又は
前記光波長帯は、前記第１のリーフノードから専用ケーブルを介して、逆多重化を行う必要なく前記入力ユニットに直接送信される、請求項６〜８のいずれか１項に記載の遠隔ノード。
【請求項１０】
前記第１のリーフノードは、別の光分配網に接続された第２の基地局にリンクを介して接続された第１の基地局であり、及び／又は
前記光波長帯は、第２の基地局である異なる光分配網に接続された前記リーフノードから、第１の基地局である前記第１のリーフノードによって受信され、次に前記第１の基地局から、前記信号パス、好ましくは前記デマルチプレクサ、前記マルチプレクサ、及び前記スプリッタを介して前記分配ツリーの前記他の光ノードに送信される光信号であり、該他の光ノードのうちの１つ又は複数は第３の基地局である、請求項６〜９のいずれか１項に記載の遠隔ノード。
【請求項１１】
前記第１の基地局は、前記光波長帯から該第１の基地局自身の波長を取り除き、前記光波長帯の残りの部分を前記デマルチプレクサに転送する、請求項６〜１０のいずれか１項に記載の遠隔ノード。
【請求項１２】
前記第１のリーフノードから受信した前記光波長帯は、好ましくは異なる光分配網に接続されたリーフノードから前記第１のリーフノードによって受信された保護信号を搬送する波長帯を含み、及び／又は、
前記遠隔ノードは、前記保護信号の前記波長帯をフィルタリングするための、前記スプリッタと前記第１の基地局との間に位置するフィルタを更に備える、
請求項６〜１１のいずれか１項に記載の光分配ツリー。
【請求項１３】
前記デマルチプレクサはマルチプレクサ／デマルチプレクサであり、
前記マルチプレクサはマルチプレクサ／デマルチプレクサであり、
前記遠隔ノードは、前記光分配網にアタッチされた前記第３の基地局からの信号がアップストリームで送信され、前記入力ユニットが含むマルチプレクサ／デマルチプレクサによって逆多重化され、前記第１のリーフノードに接続されたマルチプレクサ／デマルチプレクサに転送され、該マルチプレクサ／デマルチプレクサを介して前記第１のリーフノードに向けて転送され、該第１のリーフノードから前記第２のリーフノードに送信され、該第２のリーフノードから中央局又は光回線終端装置に向けて転送されるように構成される、請求項６〜１２のいずれか１項に記載の遠隔ノード。
【請求項１４】
前記光波長帯は、前記第２のリーフノード、該第２のリーフノードと前記第１のリーフノードとの間の前記リンク、前記デマルチプレクサ、前記マルチプレクサ、及び前記スプリッタを介して、前記光分配網にアタッチされた前記他のリーフノードに向けて送信され、前記光分配網にアタッチされた前記ノードの不具合を回避する保護信号である、請求項６〜１３のいずれか１項に記載の遠隔ノード。
【請求項１５】
前記第２のリーフノード又は前記第１のリーフノードのいずれかによって送信されるときに前記光波長帯の波長変換を実行するためのモジュールと、
前記第１の分配ツリーにおける不具合を検出し、前記第２の分配ツリーのリーフを介した前記光波長帯の前記第１の分配ツリーへの送信をトリガーするための検出器と
のうちの１つ又は複数を備える、請求項１〜５のいずれか１項に記載のシステム又は請求項６〜１４のいずれか１項に記載の遠隔ノード。
【請求項１６】
請求項６〜１５のいずれか１項に記載の装置を更に備える、請求項１〜５のいずれか１項に記載のシステム。
【発明の詳細な説明】
【技術分野】
【０００１】
本発明は、パッシブ光ネットワークにアタッチされた１つ又は複数のノードを相互接続するためのシステム、及びパッシブ光ネットワークのための遠隔ノードに関する。
【背景技術】
【０００２】
パッシブ光ネットワークに基づくファイバ・トゥ・ザ・ホームシステム（ＦＴＴＨ）の標準的な物理ファイバレイアウトは、３２個、６４個、又は１２８個のリーフを有するツリーであり、ここで、これらのリーフは顧客側に設置される。図１に概略的に示すように、ツリーのトランクは「フィーダ部」と呼ばれ、ブランチは「分配ファイバ」であり、リーフはＯＮＵ（光ネットワークユニット）と呼ばれ、中央局におけるルートはＯＬＴ（光回線終端装置、optical line terminal）である。トランクが異なるブランチに分岐する点は「遠隔ノード」と呼ばれる。コスト及びメンテナンスの理由により、この遠隔ノードはパッシブデバイスとして設計される。遠隔ノードは、ダウンストリーム信号をスプリットして分配ファイバに分配し、分配ファイバからのアップストリーム信号を結合してフィーダ部で送信する。
【０００３】
展開されるＦＴＴＨシステムは、例えば時分割多重ＰＯＮ、例えばＥＰＯＮ、ＧＰＯＮ、又は１０Ｇ−ＰＯＮとすることができる。このため、スプリッタは、フィーダから到来する光信号を、分配ファイバ間で等しくスプリットする電力スプリッタである。
【０００４】
別のシナリオでは、展開されるＦＴＴＨシステムは、波長デマルチプレクサ、例えばアレイ導波路回折格子（ＡＷＧ、arrayed waveguide grating）を用いるＷＤＭ  ＰＯＮを備えることができる。
【０００５】
アクセスネットワークを共有する場合、移動オペレータは、リーフのファイバを用いて、この移動オペレータの基地局を自身の有線（コア）ネットワークにアタッチする。このために幾つかの手法に従うことができる。最も明らかな手法は、基地局を任意の他のユーザのように扱い、この基地局をクライアントとして固定オペレータのネットワークに加えることである。これは技術的観点では機能するものの、必要とされる帯域幅が、単一の通常ユーザと、数百人のユーザのトラフィックを多重化する基地局との間で大きく異なる。さらに、これによって、例えばトラフィックの分離に関して、編成上の問題が生じる可能性もある。より実行可能な手法は、基地局をアタッチするために、既に展開されたパッシブ光ネットワークに更なる波長を加えることである。これによって十分な帯域幅がもたらされ、トラフィックを容易に分離することが可能になる。一方、用いられる手法とは無関係に、基礎を成すツリー状ファイバ構造は不具合を起こしやすく、これについては以下で概説する。
【０００６】
以下において、「基地局」という用語は、ノードとしてパッシブ光ネットワーク（ＰＯＮ）のリーフに接続されている移動オペレータの「クライアント」ノードを指すときに用いられる。そのような「基地局」は、無線レイヤ機器及び光レイヤ機器で構成される。簡単にし、混乱を避けるために、この用語は以下において、これらの機器の集合体を指すように用いられる。光ネットワークユニット「ＯＮＵ」という用語は、ノードとしてパッシブ光ネットワーク（ＰＯＮ）のリーフに接続されているクライアントノード又は固定オペレータのノードを指すときは常に用いられる。
【０００７】
ファイバ・トゥ・ザ・ホーム（ＦＴＴＨ）システムのツリー状ファイバ構造は冗長性を提供しない。ファイバ切断のような不具合によって、最大で１２８個のリーフが切り離される可能性がある。ファイバが固定オペレータの顧客のみをアタッチする場合、このリスクは通常、コストの理由から許容される。リーフのうちの幾つかが基地局をホストするものである場合、事態は変わる。基地局は数百人の顧客にサービス提供しているので、不具合によって影響を受けるユーザ数がはるかに多い。このため、固定オペレータはそのような不具合に対する保護を必要としない場合があるが、移動オペレータにとって保護は重要である。
【０００８】
ＩＴＵ−Ｔ勧告Ｇ．９８３．１（ＩＴＵ−Ｔ、２００４）においてＩＴＵによって標準化されているパッシブ光ネットワークの４つの保護方式が存在する。それらは全て、ファイバツリー及び／又はアクティブなネットワーク機器（すなわち中央局側のＯＬＴ及びクライアント側の光ネットワークユニットＯＮＵ）のいずれかの部分的な又は完全な複製を伴う。タイプＡ方式は、冗長なフィーダファイバ（feeder fiber：幹線ファイバ）を提供し、タイプＢ方式はＯＬＴ側機器及びフィーダファイバを複製し、タイプＣ方式は、各ＯＮＵを２つのファイバツリーに接続する完全なインフラストラクチャを複製し、タイプＤも完全な複製を用いるが遠隔ノード間に追加のリンクを加え、これによって保護を必要としない（このため分配ファイバ冗長性を必要としない）ＯＮＵもアタッチすることを可能にする。最初の２つの方式は、全てのノードについて（フィーダファイバのための）保護を加え、このため保護されたノードと保護されていないノードとの混合のために設計された後述する本発明の手法と異なる。タイプＣ方式も、完全な機器を複製し、全てのノードを保護するので異なる。また、タイプＤ方式も本出願のシナリオに適していない。タイプＤ方式の結果、保護要件を有しないノードの場合であっても（フィーダファイバ）の何らかの保護が生じる。タイプＤ方式はファイバインフラストラクチャを複製するが、それでも共同波長割り当て（joint wavelength assignment）を必要とするので、２つのサブツリーのそれぞれにおいて独自のＴＤＭ  ＰＯＮを実行することが可能でない。このため、保護されていないノードのためのコストが、本発明によって後に提案される方式の場合よりも高くなる場合がある。最後に述べるが重要なこととして、方式Ｄは遠隔ノード間の保護リンクを導入するが、提案される手法は異なる。
【０００９】
ファイバを複製するという着想を変える複数の異なる解決法、例えば、非特許文献１が存在する。ここでは、フィーダ部がリングとして展開され、近傍のＯＮＵが追加のファイバリンクと接続され、これにより、分配ファイバが切断した場合に互いを保護する。
【００１０】
非特許文献２は、固定ファイバネットワークに不具合が生じた場合に通信に用いることができる無線メッシュネットワークを設置することを提案している。特許文献１も無線保護を用いることを提案しているが、近傍のＯＮＵ対間のものである。不具合の場合、ＯＮＵは無線チャネルを介して近傍ＯＮＵへのリンクをアクティベートすることができる。
【００１１】
対照的に、本明細書において提案される後述の手法は、単一のＯＮＵ／基地局のための保護ではなく、完全なツリー間の保護を確立する。後に明らかとなるように、２つのＯＮＵ／基地局は異なるファイバツリー内にあり、リンクは単一のＯＮＵ／基地局の保護信号を移送するのみでなく、同じツリーの他のＯＮＵ／基地局の保護信号も移送する。特許文献１の方式は、分配部における切断からの保護を提供するが、提案される方式は、フィーダ部を保護する。
【００１２】
非特許文献３は、アクティブな遠隔ノード及び追加の物理保護パスを必要とする保護方式（分配ファイバのためのみ）を提案している。このパスは、遠隔ノードを第１のＯＮＵに接続し、第１のＯＮＵを第２のＯＮＵと接続し、第２のＯＮＵを第３のＯＮＵと接続し、最後のＯＮＵまで以下同様である。分配ファイバに不具合が生じた場合、遠隔ノード（この構成においてアクティブな電子構成要素を必要とする）は、影響を受けたＯＮＵの波長を保護パスに切り替えることができる。
【００１３】
本明細書において後に提示する手法と比較して、４つの違いがある。第１に、アーキテクチャがアクティブな遠隔ノードを必要とし、パッシブ構成で機能しない。第２に、全てのＯＮＵが２つのファイバ接続を必要とし、このため、多くの新たに展開されるファイバを必要とするのに対し、後述する手法は、そのような「デュアルホーミング」を有するノードを僅かしか必要としない。第３に、非特許文献３の解決法は、分配ファイバのみを保護し、フィーダファイバの切断を切り抜けられない。第４に、後に提案される手法は、（少なくとも部分的に）遠隔ノードの不具合を切り抜けるが、非特許文献３の方式はそのような場合に完全に切断される。
【００１４】
非特許文献４は、上記で提示したＩＴＵ−Ｔ標準方式Ｄの一変形である、遠隔ノード間にリンクを加えて２つの隣接するＷＤＭ  ＰＯＮを保護するという着想を導入している。このリンクによって、フィーダファイバを保護することが可能となるが、２つのＰＯＮ間の協調した波長割り当ても必要とされる。さらに、リーフ間に保護リンクを確立するという、後に提案する手法とは対照的に、遠隔ノード間に保護リンクが確立される。
【先行技術文献】
【特許文献】
【００１５】
【特許文献１】中国特許出願公開第０００１０１４３１７０２号
【非特許文献】
【００１６】
【非特許文献１】Chan, T.-K., Chan, C.-K., Chen, L.-K., & F., T. (2003), A self-protected architecture for wavelength-division-multiplexed passive optical networks. IEEE Photonics Technology Letters , 15 (11), 1660-1662
【非特許文献２】Ghazisaidi et al. (Ghazisaidi, N., Scheutzow, M., & Maier, M. (2010). Survivability Analysis of Next-Generation Passive Optical Networks and Fiber-Wireless Access Networks. IEEE Transactions on Reliability)
【非特許文献３】Zong et al.( Zong, L., Ting, W.,   Ji, P.,   Xu, L., &   Cvijetic, M. (2006 September). A Novel Protection Scheme for WDM-PONs Using Waveband Filters. ECOC 06: European Conference on Optical Communications 2006)
【非特許文献４】Son et al. (Son, E.,    Han, K.,    Lee, J., &    Chung, Y. (2005). Survivable network architectures for WDM PON. OFC'05: Proceedings of Optical Fiber Communication Conference)
【発明の概要】
【発明が解決しようとする課題】
【００１７】
これらの従来技術による手法に基づいて、本発明の目的は、パッシブ光ネットワークの保護又は容量を向上させるように、パッシブ光ネットワーク間の相互接続を向上させる手法を提供することである。
【００１８】
同じファイバインフラストラクチャ上で２つのタイプのノード、すなわち、固定オペレータのための、低い変動帯域幅要件を有する安価で保護されていないノードと、移動オペレータのための、高容量の定トラフィックを有する、より高価な保護された基地局と、をサポートすることが望ましい。
【課題を解決するための手段】
【００１９】
１つの実施の形態によれば、光分配網（ＯＤＮ、optical distribution network）のリーフにアタッチされた１つ又は複数のノードを相互接続するためのシステムであって、
それぞれ遠隔ノードを含む第１の光分配網及び第２の光分配網であって、該遠隔ノードが受信した信号を、中央局及び／又は光回線終端装置からトランクフィーダファイバを介して前記光分配網に接続された複数のリーフノードに分配する、第１の光分配網及び第２の光分配網と、
前記第１の光分配網に接続された第１のリーフノードを、前記第２の光分配網に接続された第２のリーフノードに接続するリンクとを備え、
前記第２の光分配網の前記遠隔ノードは、該第２の光分配網の前記中央局及び／又は光回線終端装置から信号を受信するように構成された入力ユニットを備え、前記遠隔ノードは、前記第２のリーフノードを前記遠隔ノードの前記入力ユニットに接続する追加の信号パスであって、前記第２の光分配網のリーフノードに向けられた信号を前記第１の光分配網にルーティングし、前記第１のリーフノードと前記リンクとを介して前記第２のリーフノードにルーティングし、次に該追加の信号パスを介して前記第２の光分配網のリーフノードにルーティングすることにより、前記遠隔ノードが、前記第１のリーフノードから光信号を受信した前記第２のリーフノードから、該信号を前記第２の光分配網の他のリーフノードに転送することを可能にし、それにより、前記トランクファイバにおける不具合を補償することを可能にする、追加の信号パスを更に備える、システムが提供される。
【００２０】
別個の光分配網のリーフノードを相互接続することによって、例えば接続不具合に対し保護するか又は容量を増大させるのに用いることができる更なる信号分配パスが提供される。
【００２１】
１つの実施の形態によれば、前記複数のリーフノードは１つ又は複数の基地局を備え、及び／又は、
前記第１のリーフノード及び前記第２のリーフノードは基地局である。
【００２２】
これは、接続不具合に対する基地局の保護を可能にするので、使用事例の特に有利な実施態様であり、基地局には通常、多くのエンドユーザが接続されているので、基地局にとってそのような不具合は非常に重大となる。したがって、接続不具合に対する基地局の効率的な保護方式が非常に望ましい。
【００２３】
１つの実施の形態によれば、固定ネットワークオペレータと移動ネットワークオペレータとの間で共有される光分配網、別の光分配ツリーの少なくとも１つの他のリーフに接続されることによる保護を受けていない状態でリーフノードとして接続された光ネットワークユニットをクライアントとして含む固定ネットワークオペレータのクライアント、及びリーフノードとして接続された基地局を含む移動ネットワークオペレータのクライアントは、他の光分配網の少なくとも１つの他のリーフノードに接続されることによって不具合に対し保護される。
【００２４】
これは、ほとんどの影響を受けやすい関連ノード、すなわち基地局が不具合保護を提供される一方、より関連度の低い光ネットワークユニット（ＯＮＵ）は保護されない共有ネットワークの有利に効率的な実施態様である。
【００２５】
１つの実施の形態によれば、前記システムは、前記第２の光分配網の中央局と前記遠隔ノードとの間の前記接続の不具合の場合、前記第２の光分配網の前記リーフノードに向けられた前記光信号を、前記第１の光分配網を介して前記第１のリーフノードに、該第１のリーフノードから前記リンクを介して前記第２のリーフノードに、そして該第２のリーフノードから前記第２の光分配網の前記遠隔ノードを介して前記第２の光分配網に接続された他の基地局に転送するように構成され、及び／又は
前記システムは、前記第２の光分配網の前記遠隔ノードと前記第２のリーフノードとの間の前記接続の不具合の場合、前記第２の光分配網の前記第２のリーフノードに向けられた前記光信号を、前記第１の光分配網を介して前記第１のリーフノードに、そして該第１のリーフノードから前記リンクを介して前記第２のリーフノードに転送するように構成される。
【００２６】
このようにして、トランク回線（第１の代替形態）又はリーフノード（第２の代替形態）における接続不具合に対する不具合保護を効率的に実施することができる。
【００２７】
１つの実施の形態によれば、前記第１のリーフノードと前記第２のリーフノードとの間の前記リンクは無線リンクである。
【００２８】
これは、ケーブルインフラストラクチャを必要とせず、基地局の既存の機能を利用して無線リンクを提供することができるので、特に効率的で有利な実施態様である。
【００２９】
１つの実施の形態によれば、中央局及び／又は光回線終端装置を複数の光ノードと接続する光分配網のための遠隔ノードであって、
前記中央局及び／又は光回線終端装置から１つ又は複数の信号を受信するための少なくとも１つのフィーダファイバに接続された入力ユニットと、
前記光分配網の分配ファイバのそれぞれに接続される複数の出力ユニットであって、該分配ファイバは前記光分配網内でリーフノードを形成する光ノードのそれぞれに接続される、複数の出力ユニットと、
前記１つ又は複数の信号を前記複数の出力ユニットに分配するためのスプリッティングユニットとを備え、
前記出力ユニットをのうちの１つを該遠隔ノードの前記入力ユニットに接続し、前記光分配網に接続された第１のリーフノードから、前記入力ユニット及び前記スプリッティングユニットを通じて、前記光分配網にアタッチされた他のリーフノードに光波長帯を送信することを可能にする追加の信号パスを更に備える遠隔ノードが提供される。
【００３０】
このようにして、異なる分配ツリーから受信した信号（例えば、或る接続不具合に起因して中央局から受信することができない例えば「保護信号」）を、接続不具合が生じている分配ツリーに分配する効率的な方法が提供される。
【００３１】
１つの実施の形態によれば、光分配は以下のうちの１つ又は複数を更に含む。すなわち
前記追加の信号パスは、前記第１のリーフノードから受信した前記光波長帯を逆多重化するための、前記第１のリーフノードに接続された第１の波長帯デマルチプレクサを含み、及び／又は、
前記信号パスは、前記入力ユニットに接続された波長帯マルチプレクサを含み、該入力ユニットを通じて、前記分配ツリーは前記光分配ツリーの前記ノードに分配される信号を受信し、前記波長帯マルチプレクサは前記入力ユニットに対する前記光波長帯を多重化するようになっている。
【００３２】
前記信号パスにおいて第１の波長帯デマルチプレクサを用いることによって、第１のリーフノード（例えば基地局等）によって別の分配ツリーのリーフノード（他の光分配網に接続された基地局）から受信された場合がある信号を抽出し、次に、逆多重化された信号を遠隔ノードの入力ユニットに供給することができ、それによってこの信号を前記（第１の）光分配網の他のリーフノードに転送することができるようにすることが可能になる。
【００３３】
入力ユニットに接続された前記信号パスにおいて（更なる）波長帯マルチプレクサを（付加的に又は代替的に）用いることによって、他のリーフノードに分配すべき、別の分配ツリーから受信された場合がある信号を、前記（第１の）分配ツリーに供給し、それによってこの信号を他のリーフノードに転送することができるようにすることが可能になる。
【００３４】
１つの実施の形態によれば、前記遠隔ノードは、前記入力ユニットから受信した前記１つ又は複数の信号をスプリットし、該１つ又は複数の信号を前記分配ツリーの前記リーフノードに分配するための、前記入力ユニットに接続された（パワー）スプリッタユニットを含むか、又は
前記遠隔ノードは、前記入力ユニットから受信した前記１つ又は複数の信号を、前記分配ツリーの前記リーフノードに分配するためのアレイ導波路回折格子等の波長デマルチプレクサを含む。
【００３５】
スプリッテイングユニットを用いることは、システムが時分割多重ＰＯＮである場合に適した実施態様である。
【００３６】
他方で、波長デマルチプレクサを用いることは、システムがＷＤＭ  ＰＯＮである場合に適した実施態様である。アレイ導波路回折格子が波長デマルチプレクサとして用いられている場合、他のリーフに分配されることになる信号を供給するための別個のマルチプレクサを有する必要はない。なぜなら、この信号は、アレイ導波路回折格子によって設けられる別個の入力に供給することができるためである。したがって、「入力ユニット」はこの場合、アレイ導波路回折格子の入力を含むことができる。一方、信号を他のリーフに分配するのにスプリッタが用いられる場合、マルチプレクサによって１つのリーフから他のリーフに分配されるべき信号を多重化し、それによってこの信号がスプリッタによって他のリーフノードに分配されるようにすることが必要な場合がある。
【００３７】
１つの実施の形態によれば、前記遠隔ノードは、前記光波長帯が前記デマルチプレクサに向けてアップストリームで送信され、該デマルチプレクサにおいて前記光波長帯が残りの信号からスプリットされ、前記マルチプレクサに更に送信され、該マルチプレクサから、前記スプリッタに向けてダウンストリームで供給され、前記分配ツリーの他のノードに分配されるように構成される。
【００３８】
代替的には、前記光波長帯は、前記第１のリーフノードから専用ケーブルを介して、逆多重化を行う必要なく前記入力ユニットに直接送信される。
【００３９】
これは、異なる分配ツリーから受信した信号を分配するための信号パスの効率的な実施態様である。１つの代替形態では、デマルチプレクサを用いて、別の基地局から受信することができる信号を抽出し、次にマルチプレクサを用いて、この信号をダウンストリーム信号パスに供給し、それによって、この信号は例えばスプリッタ又は波長マルチプレクサによって前記分配ツリーの他のリーフに転送することができる。
【００４０】
別の代替形態では、光波長帯をリーフノードから光分配ツリーの入力ユニットに転送するための専用ケーブル又はリンクを提供することもできる。
【００４１】
１つの実施の形態では、前記第１のリーフノードは、別の光分配網に接続された第２の基地局にリンクを介して接続された第１の基地局であり、
前記光波長帯は、第２の基地局である異なる光分配網に接続された前記リーフノードから、第１の基地局である前記第１のリーフノードによって受信され、次に前記第１の基地局から、前記信号パス、好ましくは前記デマルチプレクサ、前記マルチプレクサ、及び前記スプリッタを介して前記分配ツリーの前記他の光ノードに送信される光信号であり、該他の光ノードのうちの１つ又は複数は第３の基地局である。
【００４２】
これは、装置を用いて接続不具合に対し基地局を保護することができる有利な実施態様である。
【００４３】
１つの実施の形態によれば、前記第１の基地局は、前記光波長帯から該第１の基地局自身の波長を取り除き、前記光波長帯の残りの部分を前記デマルチプレクサに転送する。
【００４４】
これにより、基地局は光信号を復号することが可能になる。
【００４５】
１つの実施の形態によれば、前記第１のリーフノードから受信した前記光波長帯は、好ましくは異なる光分配網に接続されたリーフノードから前記第１のリーフノードによって受信された保護信号を搬送する波長帯を含み、
前記遠隔ノードは、前記保護信号の前記波長帯をフィルタリングするための、前記スプリッタと前記第１の基地局との間に位置するフィルタを更に備える。
【００４６】
このようにして、異なる分配ツリーから受信され、ダウンストリームパスに供給された後に、ダウンストリームで送信される同じ信号で送信される保護波長帯の衝突を回避することができる。
【００４７】
１つの実施の形態によれば、前記デマルチプレクサはマルチプレクサ／デマルチプレクサであり、
前記マルチプレクサはマルチプレクサ／デマルチプレクサであり、
前記遠隔ノードは、前記光分配網にアタッチされた前記第３の基地局からの信号がアップストリームで送信され、前記入力ユニットが備えるマルチプレクサ／デマルチプレクサによって逆多重化され、前記第１のリーフノードに接続されたマルチプレクサ／デマルチプレクサに転送され、該マルチプレクサ／デマルチプレクサを介して前記第１のリーフノードに向けて転送され、該第１のリーフノードから前記第２のリーフノードに送信され、該第２のリーフノードから中央局又は光回線終端装置に向けて転送されるように構成される。
【００４８】
これは、接続不具合に対して保護するためのアップストリームにおける信号パスの適切で有利な実施態様である。
【００４９】
１つの実施の形態によれば、前記光波長帯は、前記第２のリーフノード、該第２のリーフノードと前記第１のリーフノードとの間の前記リンク、前記デマルチプレクサ、前記マルチプレクサ、及び前記スプリッタを介して、前記光分配網にアタッチされた前記他のリーフノードに向けて送信され、前記光分配網にアタッチされた前記ノードの不具合を回避する保護信号である。このようにして、接続不具合に対する保護を達成することができる。
【００５０】
１つの実施の形態によれば、前記遠隔ノード又はノードを相互接続する前記システムは、
前記第２のリーフノード又は前記第１のリーフノードのいずれかによって送信されるときに前記光波長帯の波長変換を実行するためのモジュールと、
前記第１の分配ツリーにおける不具合を検出し、前記第２の分配ツリーのリーフを介した前記光波長帯の前記第１の分配ツリーへの送信をトリガーするための検出器と、
のうちの１つ又は複数を備える。
【００５１】
このようにして、保護信号の適切な生成、及びこの信号の、異なる分配ツリーを介した、不具合が発生した分配ツリーへの送信を実施することができる。
【００５２】
１つの実施の形態によれば、実施の形態のうちの１つによる１つ又は複数のノードを相互接続するためのシステムと、実施の形態のうちの１つによる光波長帯を送信するための装置とを備える統合システムが提供される。
【図面の簡単な説明】
【００５３】
【図１】パッシブ光ネットワーク（ＰＯＮ）の構成を概略的に示す図である。
【図２】本発明の一実施形態による相互接続システムを概略的に示す図である。
【図３】本発明の一実施形態による装置を概略的に示す図である。
【図４】本発明の実施形態を適用することができるシナリオを概略的に示す図である。
【図５】本発明の一実施形態による相互接続システムを概略的に示す図である。
【図６】本発明の更なる実施形態による相互接続システムを概略的に示す図である。
【図７】本発明の一実施形態による相互接続システムにおける可能な波長配分を概略的に示す図である。
【図８】本発明の更なる実施形態による相互接続システムを概略的に示す図である。
【発明を実施するための形態】
【００５４】
次に、本発明を添付の図面との関連で例示的な実施形態によって説明する。
【００５５】
まず始めに、本発明の実施形態を説明する前に、以下の説明において用いられる用語を図１との関連で説明する。
【００５６】
中央局（光回線終端装置ＯＬＴ及び移動ネットワークオペレータを備えることができる）が、光分配網（ＯＤＮ）を通じて複数のノード（図１ではクライアント機器）に接続される。ＯＤＮは、（パッシブ）スプリッタすなわちスプリッティングユニットと、少なくとも１つの入力ユニットと、複数の出力ユニットとを備える遠隔ノードを備える。さらに、ＯＤＮは少なくとも１つのフィーダファイバと、複数の分配ファイバとを備える。遠隔ノードの入力ユニットは、フィーダファイバを介して中央局に接続される。スプリッタは、中央局からフィーダファイバを通じて入力ユニットによって受信された信号を受信し、この信号を複数の出力信号にスプリットし、これらの複数の出力信号を複数の出力ユニットのそれぞれに分配する。遠隔ノードの出力ユニットは、それぞれの分配ファイバを通じて、クライアント機器を形成する光ノードに接続される。分配ファイバに接続されるノードは、光ネットワークユニット（ＯＮＵ）又は基地局とすることができる。
【００５７】
以下において、光分配網（ＯＤＮ）という用語は、遠隔ノードと、フィーダファイバと、分配ファイバとの組合せを指す。遠隔ノードという用語は、フィーダファイバと分配ファイバとの間に接続されたユニットであって、フィーダファイバに接続されるための入力ユニットと、スプリッタと、分配ファイバにそれぞれ接続されるための複数の出力とを備えるユニットを指す。したがって、ＯＤＮはツリー構造を形成し、このツリー構造によって、中央局から受信される信号が複数の（リーフ）ノードに分岐される。
【００５８】
光分配網（ＯＤＮ）は、分配ファイバ並びに中央局及び／又は光回線終端装置に接続されたノードとともに、パッシブ光ネットワーク（ＰＯＮ）を形成する。
【００５９】
１つの実施形態によるそのような遠隔ノードは、前記光分配網に接続された第１のリーフノードから、前記入力ユニット及び前記スプリッティングユニットを通じて、前記光分配網にアタッチされた他のリーフノードに光波長帯を送信するための信号パスを更に備えることによって変更される。
【００６０】
１つの実施形態において、これは、前記光分配網に接続された第１のリーフノードから、前記出力ユニットのうちの１つによって受信された光波長帯を、遠隔ノードの前記入力ユニットに送信し、そこから、スプリッティングユニットを通じて、前記光分配網に接続された他のリーフノードに送信するための信号パスによって実施することができる。これは図２において、スプリッティングユニットの出力のうちの１つからこのスプリッティングユニットの入力に導く信号パスによって概略的に示されている。
【００６１】
そのような一実施形態による遠隔ノードは、パッシブ光ネットワークの異なる分配ツリーに接続されたノードを相互接続するためのシステムにおいて用いることができる。
【００６２】
次に、これを、そのようなシステムを示す図２との関連で幾分より詳細に説明する。図２に示す実施形態において、光分配網によって形成された２つの分配ツリーが存在する。これらの分配ツリーはそれぞれ、当該分配ツリーに接続された複数のリーフノードを有し、各光分配網は固定ネットワークプロバイダ（ＦＴＴＨ）と移動ネットワークプロバイダ（移動オペレータ）とによって共有されている。
【００６３】
光分配網は、プロバイダ又は中央局から信号を受信し、これらの信号を、（例えば、正方形として示されるスプリッタ又はスプリッティングユニットを含む遠隔ノードを介して）自身のリーフノードに分配する。これらのリーフノードは、「通常の」固定ネットワーク光ノードを備え、六角形として示され、図２においてアンテナとして示される基地局を更に備える。
【００６４】
左側の分配ツリーが、例えば中央局と遠隔ノードとの間の接続不具合に起因して何らかの不具合を有すると仮定する。これは、通常の光ノードが切断されるのみでなく、それぞれ多数の端末が接続されている場合がある基地局も切断されることを意味する。
【００６５】
そのような負の影響を回避するために、右側の光分配網に接続された基地局と、左側の光分配網に接続された基地局との間の「保護リンク」が提供される。このようにして左側の分配ツリーと右側の分配ツリーとが接続される。
【００６６】
このとき、移動ネットワークオペレータから左側の分配ツリーに送信されることが意図される信号が、代わりに「保護信号」として右側の分配ツリーに送信される。この信号は次に、右側の分配ツリーの基地局及び保護リンクを介して、左側の分配ツリーにおける基地局に転送される。
【００６７】
このようにして、保護信号は接続不具合にもかかわらず左側の分配ツリーに到達する。
【００６８】
一方、１つの実施形態によれば、保護信号は、左側の分配ツリーの１つの基地局にしか到達しないことがないように、次に左側の分配ツリーの他の基地局にも転送される。このために、１つの実施形態によれば、この分配ツリーの光分配網の「遠隔ノード」の或る変更が提供される。これは図２において、左側の分配ツリーの基地局を遠隔ノードの入力ユニットに接続する追加の信号パスによって示されている。これは、上記で説明したような、遠隔ノードの出力ユニットのうちの１つから遠隔ノードの入力ユニットに導く追加の信号パスを提供する変更された遠隔ノードによって実施することができる。このようにして、右側の分配ツリーの基地局から保護リンクを介して左側の分配ツリーの基地局によって受信された信号が、遠隔ノードの入力ユニットに転送され、次に、スプリッティングユニット及びスプリッティングユニットの出力を通じて、左側の分配ツリーの他のノードに転送される。
【００６９】
分配ツリーの１つのリーフから、分配ツリーの他のリーフに信号を転送することを可能にするこの追加の信号パスを提供することによって、トランク（フィーダ）ファイバにおける不具合を補償することが可能になる。これは、１つの実施形態において、左側の光分配網のリーフに向けられた信号を、右側の光分配網を通じて、そこから基地局及び保護リンクを介して左側の光分配網に接続された基地局にルーティングし、次に追加の信号パス及び分配ユニットを介して左側の光分配網の他のリーフにルーティングすることによって達成される。
【００７０】
１つの実施形態によれば、この変更は、この実施形態では「スプリッタ」を備え、かつ図２において正方形として示される遠隔ノードに関係する。次に、１つの実施形態によるこの変更を、図３との関連で幾分より詳細に説明する。
【００７１】
図３は１つの実施形態による遠隔ノードを示している。１つの実施形態によれば、図３に示しているように、基地局から保護信号を含む信号を受信し、この保護信号をスプリットするデマルチプレクサが提供される。このデマルチプレクサは、スプリッタの出力ユニットの一部を形成するか、又はこの出力ユニットに接続されているものとみなすことができる。次に、曲線で示される追加の信号パスを介して、このスプリットされた保護信号はマルチプレクサに供給され、マルチプレクサからスプリッタに供給される。マルチプレクサは、スプリッタの入力ユニットの一部を形成するか、又はこの入力ユニットに接続されているものとみなすことができる。次に、信号は、スプリッタから、分配ツリーのリーフに接続された全てのノードに分配され、このため分配ツリーのリーフに接続された全ての基地局に分配される。したがって、接続不具合の負の影響はこのようにして回避することができる。
【００７２】
図３に示す実施形態は、幾つかの方法で変更することができる。例えば、保護リンクを介して基地局によって受信される保護信号は、信号パス内に多重化されなくてもよく、代わりに基地局から分配ユニットに別個の専用リンクを介して、例えば別個のケーブルによって送信されてもよい。この場合、図３に示すデマルチプレクサは必要でなく、代わりに、別個のケーブルが、基地局と、遠隔ノードの入力ユニットを形成するマルチプレクサとを直接接続することができる。
【００７３】
次に、図３に示す実施形態の更なる変更を説明する。図３に示す実施形態は、ＴＤＭ  ＰＯＮに適した実施態様である。一方、別のシナリオでは、波長分割多重（ＷＤＭ）ＰＯＮが同様に用いられる場合もある。この場合、図３において正方形として示されている分配ユニットは（電力）スプリッタではなく、波長スプリッタ又は波長デマルチプレクサ、例えばアレイ導波路回折格子である。そのような場合、図３においてスプリッティングユニットの入力ユニットとして示されるマルチプレクサは必要でない場合がある。なぜなら、アレイ導波路回折格子等の波長デマルチプレクサが保護信号のための別個の入力を提供し、次に保護信号を分配ツリーの他のリーフに分配することができるためである。
【００７４】
次に、本発明の更なる実施形態を以下に説明する。
【００７５】
１つの実施形態によれば、移動オペレータと固定オペレータとの間のラストマイルアクセスネットワークを共有するために、同じファイバプラント上で保護されたノードと保護されていないノードとを組み合わせるシステムアーキテクチャが提案される。提案される手法は、固定オペレータが自身の顧客をアタッチする必要がある保護されていないネットワークを管理する基地局の回復力及び不具合の保護を提供する。結果として、固定オペレータの場合、安価で保護されていないネットワークとなり、同じ物理ファイバ上で並列して動作している移動オペレータの場合、より複雑であるが保護されたネットワークとなる。新たなファイバのために導管を掘削することは、キロメートルあたり数万米ドルのコストがかかる可能性があり、アクセスネットワークの主要なコスト障壁となっているので、これは新たなファイバの展開を最小限にして達成するべきである。
【００７６】
本発明の一実施形態の応用シナリオは、固定オペレータと移動オペレータとの間でファイバアクセスネットワークを共有することであり、移動オペレータは、固定オペレータのファイバ・トゥ・ザ・ホーム（ＦＴＴＨ）インフラストラクチャを用いて自身の基地局を迂回する。
【００７７】
現在のＦＴＴＨシステムは、光分配網を用いたツリートポロジにおいてパッシブ光ネットワーク（ＰＯＮ）として展開されている。このため、ファイバ切断のような不具合によって、ツリーにアタッチされた幾つかのノード又は全てのノードが切断される可能性がある。本発明の目標は、このシナリオにおけるそのような不具合から基地局を保護することである。
【００７８】
このために、１つの実施形態によれば、相互保護のために２つのＦＴＴＨツリーが組み合わされる。この着想に従う既存の方式は、ツリーの分岐点間の保護接続を確立している。一方、本発明の実施形態では、保護信号がツリーの２つのリーフ間で交換される。
【００７９】
これは、特に、既に展開されたインフラストラクチャに保護を加える必要がある場合に、複数の利点を有する。まず第１に、ＦＴＴＨツリーは１つの分岐点しか有しないが、３２個〜１２８個のリーフを有する。このため、より短く、したがってより安価なリンクを可能にするはるかに多くの可能な接続点が存在する。さらに、保護リンクは、基地局が電力供給され、高い位置にあるときに無線で実現することができる。対照的に、分岐点は電力供給されず、多くの場合に地下に設置される。
【００８０】
１つの実施形態によれば、２つの隣接したファイバツリーが存在し、これらのツリーは、固定オペレータに２組の保護されていないＯＮＵを提供し、基地局をこれらのツリーに加える。ツリーは相互保護に用いられ、２つのツリー間のリンクは、第１のツリー内の１つの基地局と、第２のツリー内の第２の基地局との間で確立される。第２のツリーのノードのための保護信号は、中央局から第１の基地局に送信され、第２の基地局に転送され、次に第２の基地局によって第２のツリー内で分散される。この分配を可能にするために、遠隔ノードは、第２の基地局が同じツリー内の全ての他の基地局に対し信号を送受信することができるように変更される。第１のツリーのための保護は、説明を簡単にするためにここでは提示されない。しかしながら、当業者は、第２のツリー構成をミラーリングすることによってこれを提供することができることを容易に認識する。
【００８１】
実施形態は、同じファイバインフラストラクチャ上の２つのタイプのノード、すなわち固定オペレータのための、低い変動帯域幅要件を有する安価で保護されていないノードと、移動オペレータのための、高容量の定トラフィックを有する、より高価で保護された基地局と、をサポートする問題を解決する。
【００８２】
本発明の実施形態の１つの利点は、基地局の有線接続のコストが低くなることである。この利点によって、新たに展開されるファイバの量を低減することができ、これによってこの展開のためのＣＡＰＥＸが回避される。これは、基地局の保護要件を満たしながら、標準的なＦＴＴＨシステムとファイバインフラストラクチャを共有することを通じて行われる。この実施形態は、２セットの異なる要件、すなわち、ＦＴＴＨのための低コストの保護されていないエンドユーザリンクと、それとは対照的な、移動オペレータのための、基地局への高コストの保護されたリンクと間のギャップを橋渡しするのに役立つ。
【００８３】
共有シナリオをサポートするように変更することができる既存の解決法（例えばタイプＤ保護（ＩＴＵ−Ｔ、２００４）及び非特許文献４の解決法）と対照的に、２つのファイバツリー内のリーフ間で保護信号を送信するリンクが確立される。遠隔ノードよりもはるかに多くのリーフが存在し、これらのリーフは地理的に分散しているので、はるかに多くの接続可能性が存在する。この結果、リンクによって橋渡しされなくてはならない距離が短くなり、このためこれに費やされる金額が減る。さらに、本発明の独自の特徴は、無線リンクを用いて保護リンクを容易に実現することができ、これによって土木工事の一切が回避されることである。
【００８４】
次に、本発明の更なる実施形態を以下において幾分より詳細に説明する。
【００８５】
１つの実施形態によれば、互いの保護を提供するために２つの隣接するファイバツリーが組み合わされる。既存の方式とは対照的に、ツリー間のリンクは、２つのファイバツリーの２つのリーフ間で確立される。ツリー内で保護信号を分散するために、それに応じて遠隔ノードが変更される。
【００８６】
図４はシステムの図を示し、ここでは機能しているリンクのみが示されている。固定オペレータのクライアント（六角形）は、標準的なＰＯＮ構成のようにツリーにアタッチされており、保護されていない。図４の第１のツリー及び第２のツリーは、それぞれ図４に示すような遠隔ノードを備える。基地局は、ファイバツリーのうちの任意のものに同様にアタッチすることができる。固定ユーザの場合、１つの実施形態では、共有波長を有するＴＤＭ  ＰＯＮが用いられ、代替的に、ＷＤＭ  ＰＯＮが用いられてもよい。各基地局は、帯域幅要件がより高いことに起因して自身の波長又は波長帯を介してアタッチされ、このため、第１のツリーにおいて示す追加のリンクは、この例では２つの基地局をアタッチするための２λの波長帯を表す。この追加のリンクは、図４において、第２のツリーの接続の２倍の太さとして示される第１のツリーの接続によって表される。これは、第１のツリーにアタッチされた基地局の信号に適応するための第１のツリーにおける追加の波長を示している。例が示しているように、基地局は、複数の波長帯（デ）マルチプレクサを単に加えることによって既存のシステムにアタッチすることができる。対応する信号は、移動オペレータによって動作する中央局（ＣＯ）によって第１のツリーに供給される一方、ＯＮＵは自身の信号を、図４においてＦＴＴＨとして示される固定ネットワークオペレータから受信する。第２のツリーにおいて、ＯＮＵに提供される信号は、第１の波長帯を用いて送信され、この第１のツリーにおいて、固定ネットワーク信号も前記第１の波長帯を用いてＯＮＵに送信され、信号はＦＴＴＨとして示される固定ネットワークオペレータによって提供される。しかしながら、第１のツリー内の基地局は、図４に示される移動ネットワークオペレータによって提供される第２の波長帯にわたって自身の信号を受信する。
【００８７】
図４に示すシステムと同じであるが、ここでは左ファイバツリーの第１の基地局及び第２の基地局の保護構成を有するシステムが図５に示されている。ここでも、図４の第１のツリー及び第２のツリーはそれぞれ図５に示すような遠隔ノードをそれぞれ備える。図５のシナリオは、トランク接続における不具合に対する第１のツリーの保護を得ることができる方法を示している。この場合、第１の基地局及び第２の基地局への信号は移動ネットワークオペレータから第１のツリーを介してもはや送信することができない。この状況に対処するために、以下で説明するように、保護信号が別のパスを介して送信される。
【００８８】
保護信号は、中央局（ＣＯ、図面では移動オペレータとラベル付けされる）から、第３の波長帯において、第２のファイバツリーを通って、第２のファイバツリーの第３の基地局に向けて送信される。「保護信号」は、実際には第１の分配ツリーに向けられているが、接続不具合に起因してその分配ツリーのノードに送信することができない信号である。代わりに、信号は「保護信号」として、場合によっては異なる波長帯を介して、ここでは第３の波長帯を介して、第２の分配ツリーに、及び第２の分配ツリーを通じて送信される。信号は、第３の基地局に向けて送信され、図５に示されないが、第３の基地局において第４の波長帯に変換される。次に、第３の基地局から、信号は（場合によっては無線インタフェースを介して）第２の基地局に送信される。第２の基地局は、保護波長帯（図示せず）から自身の保護波長をスプリットし、残りの波長を、第４の波長帯において、自身の分配ファイバを介して遠隔ノードに向けて送信する。遠隔ノードにおいて、第４の波長帯は、第１の波長帯（デ）マルチプレクサによって残りのスペクトルからスプリットされ、この遠隔ノード（図内の正方形）のパッシブスプリッタに直接アタッチされた第２の波長帯（デ）マルチプレクサに送信される。第４の波長帯をスプリッティングユニット、例えばパッシブスプリッタ又は波長デマルチプレクサに送信することによって、この第４の波長帯は全てのアタッチされた分配ファイバに送信され、このため第１の基地局にも送信される。第４の波長帯は分配ファイバを介して第２の基地局にダウンストリームでも送信されることに留意されたい。一方、１つの実施形態によれば、衝突を回避するために、この分配ファイバは、保護信号の波長帯である第４の波長帯を遮断する波長フィルタを含む。
【００８９】
アップストリームにおいて保護信号を送信するために、第１の基地局は第４の波長帯のλも同様に用い、これを自身の分配ファイバを介して遠隔ノードに向けて送信する。第４の波長帯は、（アップストリームにおいて結合器としての役割を果たす）パッシブスプリッタを通過した後、第２の波長帯（デ）マルチプレクサを通過する。この波長帯はスプリットされ、第１の波長帯（デ）マルチプレクサに送信され、次に分配ファイバを介して第２の基地局に転送される。次に、この基地局は、保護リンクを介して第３の基地局に向けて保護信号を（場合によっては自身のアップストリーム保護波長とともに）送信する。ここでもまた、第３の波長帯に向けた波長変換が実行される。次に、第３の基地局は、第２のファイバツリーに沿った通常の経路を介して第３の波長帯を中央局に向けて送信する。双方のファイバツリーの完全な保護方式が図６に示されている。
【００９０】
図７は、１つの実施形態による波長帯フィルタの構成の一例を示している。これは、好ましい実施形態において、第２の基地局から第１の基地局に保護信号を送信する前に波長変換が実行される理由、すなわち、遠隔ノードにおいて単一のタイプの波長帯（デ）マルチプレクサを用いることが可能になることを明らかにしている。１つのタイプの（デ）マルチプレクサのみを用いることによって、遠隔ノード、遠隔ノードの構成、及び展開ロジスティックが非常に単純化される。
【００９１】
図８に示すように、第２の基地局と第３の基地局との間の保護リンクも無線で確立することができることに留意すべきである。基地局は電源にアタッチされ、高い位置に設置される。このため、ファイバ接続を介して保護リンクを実現する代わりに、情報を例えばマイクロ波リンクを介して送信することもでき、これによって新たなファイバを展開するときに必要な土木工事が回避される。この方式は保護リンクが常時オンであることを必要とせず、保護リンクは不具合の場合にのみアクティベートすればよいことにも留意すべきである。
【００９２】
説明される実施形態による提案される保護方式では、全ての基地局はフィーダファイバ切断から保護される。さらに、保護リンクを実装する基地局（例では第２の基地局及び第３の基地局）は、保護リンクを介してデュアルホーミングされているので、自身の分配ファイバの切断、及び遠隔ノードの損傷から保護される。
【００９３】
本発明は例示的な実施形態によって説明されてきたが、これらの実施形態は、特許請求の範囲から逸脱することなく変更することができることが理解されよう。例えば、異なる分配ツリーの基地局間のリンクを用いることが、接続不具合に対する保護を得る目的との関連で説明されてきた。しかしながら、提案される構成は実際に、更なる信号分配パスを加えるので、この構成を用いて達成することができる別の目的又は効果は、容量又は帯域幅を増大させることである。これは、例えば、ネットワーク輻輳が存在する場合に有用とすることができる。このとき、輻輳を回避するために更なる信号分配パスを用いることができる。代替的に、低優先度トラフィック又はベストエフォートトラフィックを移送するために更なる分配パスを用いることができる。
【００９４】
さらに、本明細書において上述した実施形態は、２つの分配ツリーのリーフノードをリンクを通じて接続することによるそれらの２つの分配ツリー間の接続のみを説明しているが、３つ以上のそのような分配ツリーを接続することも可能である。例えば、保護信号は第１の分配ツリーの第１の基地局から第２の分配ツリーの第２の基地局に送信することができ、この第２の基地局から第３の分配ツリーの第３の基地局に送信することができる。そのような場合、第１の分配ツリー及び第３の分配ツリー（又は第１の基地局及び第３の基地局）を接続する第２の分配ツリー（又は第２の分配ツリーの第２の基地局）は、保護信号を送信するために第１の基地局と第３の基地局とを相互接続する「リンク」を形成するものとみなすことができる。
【００９５】
当然ながら、４つ以上の分配ツリーを類似した方式で接続することができる。
【図１】
0005727619.tif 000002
【図２】
0005727619.tif 000003
【図３】
0005727619.tif 000004
【図４】
0005727619.tif 000005
【図５】
0005727619.tif 000006
【図６】
0005727619.tif 000007
【図７】
0005727619.tif 000008
【図８】
0005727619.tif 000009